【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
互いに対向する２つの光学的に使用しない非光学面と、前記２つの非光学面の何れとも隣り合いかつ互いに隣り合う回転対称軸を有さない回転非対称な第１、第２の光学面を含む少なくとも３つの光学面とを備える光学素子であって、
前記第１の光学面は、該第１の光学面における光学有効領域以外の部分に平面部を有することを特徴とする光学素子。
【請求項２】
互いに対向する２つの光学的に使用しない非光学面と、前記２つの非光学面の何れとも隣り合いかつ互いに隣り合う回転対称軸を有さない回転非対称な第１、第２の光学面を含む少なくとも３つの光学面とを備える光学素子であって、
前記第１の光学面は、該第１の光学面における光学有効領域外縁から、前記第２の光学面の光学有効領域外縁に向かって形成される周辺面を有することを特徴とする光学素子。
【請求項３】
前記周辺面は、平面部を有することを特徴とする請求項２に記載の光学素子。
【請求項４】
前記平面部は、前記第１の光学面の光軸に対して垂直であることを特徴とする請求項１または３に記載の光学素子。
【請求項５】
前記第１の光学面における光学有効領域を含む部分と前記平面部若しくは前記周辺面を含む部分との境界は、円形状、円弧を含む形状、正方形形状若しくは長方形形状であることを特徴とする請求項１乃至４の何れか１項に記載の光学素子。
【請求項６】
前記第１の光学面における光学有効領域を含む部分は、前記平面部若しくは前記周辺面を含む部分に対して凸形状であることを特徴とする請求項１乃至５の何れか１項に記載の光学素子。
【請求項７】
前記第１の光学面における光学有効領域を含む部分は、前記平面部若しくは前記周辺面を含む部分に対して凹形状であることを特徴とする請求項１乃至５の何れか１項に記載の光学素子。
【請求項８】
前記平面部若しくは前記周辺面は、粗面であることを特徴とする請求項１乃至７の何れか１項に記載の光学素子。
【請求項９】
前記少なくとも３つの光学面は、前記互いに隣り合う前記第１、第２の光学面に加えて、回転対称軸を有さない回転非対称な第３の光学面からなることを特徴とする請求項１乃至８の何れか１項に記載の光学素子。
【請求項１０】
光学素子を成形する金型装置であって、
光学面成形面を有する第１、第２及び第３の入れ子と、
非光学面成形面を有する第４及び第５の入れ子を備え、
前記第４及び第５の入れ子は、互いに対向して配置され、
前記第１、第２及び第３の入れ子の各々は、両端のうちの一端が前記第４の入れ子と隣り合うと共に、他端が前記第５の入れ子と隣り合うように配置され、
前記光学面成形面のうち、少なくとも２つは、回転対称軸を有さない回転非対称な面であり、
前記第１の入れ子は、前記光学素子の第１の光学面を成形し、
前記第１の入れ子は、更に前記第１の光学面における光学有効領域以外の部分を成形する部分に平面成形部を有することを特徴とする金型装置。
【請求項１１】
光学素子を成形する金型装置であって、
光学面成形面を有する第１、第２及び第３の入れ子と、
非光学面成形面を有する第４及び第５の入れ子を備え、
前記第４及び第５の入れ子は、互いに対向して配置され、
前記第１、第２及び第３の入れ子の各々は、両端のうちの一端が前記第４の入れ子と隣り合うと共に、他端が前記第５の入れ子と隣り合うように配置され、
前記光学面成形面のうち、少なくとも２つは、回転対称軸を有さない回転非対称な面であり、
前記第１及び第２の入れ子は、前記光学素子の第１及び第２の光学面をそれぞれ成形し、
前記第１の入れ子は、前記第１の光学面における光学有効領域外縁から、前記第２の光学面の光学有効領域外縁に向かって形成される周辺面を成形する周辺面成形面を有することを特徴とする金型装置。
【請求項１２】
前記周辺面成形面は、平面成形部を有することを特徴とする請求項１１に記載の金型装置。
【請求項１３】
前記平面成形部は、前記第１の光学面の光軸に対して垂直であることを特徴とする請求項１０または１２に記載の金型装置。
【請求項１４】
前記第１の入れ子における光学有効領域を成形するための領域を含む部分と前記平面成形部若しくは前記周辺面成形面を含む部分との境界は、円形状、円弧を含む形状、正方形形状若しくは長方形形状であることを特徴とする請求項１０乃至１３の何れか１項に記載の金型装置。
【請求項１５】
前記第１の入れ子における光学有効領域を成形するための領域を含む部分と前記平面成形部若しくは前記周辺面成形面を含む部分とは、別部材で構成されていることを特徴とする請求項１０乃至１４の何れか１項に記載の金型装置。
【請求項１６】
前記第１の入れ子における光学有効領域を成形するための領域を含む部分と前記平面成形部若しくは前記周辺面成形面を含む部分とは、一体となって金型開閉方向とは垂直な方向に摺動可能なスライド構造であることを特徴とする請求項１０乃至１５の何れか１項に記載の金型装置。
【請求項１７】
前記平面成形部若しくは前記周辺面成形面は、粗面であることを特徴とする請求項１０乃至１６の何れか１項に記載の金型装置。
【手続補正２】
【補正対象書類名】明細書
【補正対象項目名】００２１
【補正方法】変更
【補正の内容】
【００２１】
また、本発明の一態様によれば、本発明の金型装置は、光学素子を成形する金型装置であって、光学面成形面を有する第１、第２及び第３の入れ子と、非光学面成形面を有する第４及び第５の入れ子を備え、上記第４及び第５の入れ子は、互いに対向して配置され、上記第１、第２及び第３の入れ子の各々は、両端のうちの一端が上記第４の入れ子と隣り合うと共に、他端が上記第５の入れ子と隣り合うように配置され、上記光学面成形面のうち、少なくとも２つは、回転対称軸を有さない回転非対称な面であり、上記第１の入れ子は、上記光学素子の第１の光学面を成形し、上記第１の入れ子が、更に上記第１の光学面における光学有効領域以外の部分を成形する部分に平面成形部を有することを特徴とする。
【手続補正３】
【補正対象書類名】明細書
【補正対象項目名】００２２
【補正方法】変更
【補正の内容】
【００２２】
これにより、本発明の金型装置は、第１の入れ子により成形される光学素子の第１の光学面と第２の入れ子により成形される光学素子の第２の光学面との接合部分において、第１の光学面が第２の光学面の有効領域を侵食することがなくなるとともに、第１の光学面が第１の光学面および第２の光学面の光学有効領域から大幅に逸脱することもなくなり、簡素かつコンパクトな光学素子を成形することが可能となる。
【手続補正４】
【補正対象書類名】明細書
【補正対象項目名】００２３
【補正方法】変更
【補正の内容】
【００２３】
また、本発明の一態様によれば、本発明の金型装置は、光学素子を成形する金型装置であって、光学面成形面を有する第１、第２及び第３の入れ子と、非光学面成形面を有する第４及び第５の入れ子を備え、上記第４及び第５の入れ子は、互いに対向して配置され、上記第１、第２及び第３の入れ子の各々は、両端のうちの一端が上記第４の入れ子と隣り合うと共に、他端が上記第５の入れ子と隣り合うように配置され、上記光学面成形面のうち、少なくとも２つは、回転対称軸を有さない回転非対称な面であり、上記第１及び第２の入れ子は、上記光学素子の第１及び第２の光学面をそれぞれ成形し、上記第１の入れ子が、上記第１の光学面における光学有効領域外縁から、上記第２の光学面の光学有効領域外縁に向かって形成される周辺面を成形する周辺面成形面を有することを特徴とする。
【手続補正５】
【補正対象書類名】明細書
【補正対象項目名】００２６
【補正方法】変更
【補正の内容】
【００２６】
また、本発明の金型装置は、上記第１の入れ子における光学有効領域を成形するための領域を含む部分と上記平面成形部若しくは上記周辺面成形面を含む部分との境界が、円形状、円弧を含む形状、正方形形状若しくは長方形形状であることが望ましい。
また、本発明の金型装置は、上記第１の入れ子における光学有効領域を成形するための領域を含む部分と上記平面成形部若しくは上記周辺面成形面を含む部分とが、別部材で構成されていることが望ましい。
【手続補正６】
【補正対象書類名】明細書
【補正対象項目名】００２７
【補正方法】変更
【補正の内容】
【００２７】
また、本発明の金型装置は、上記第１の入れ子における光学有効領域を成形するための領域を含む部分と上記平面成形部若しくは上記周辺面成形面を含む部分とが、一体となって金型開閉方向とは垂直な方向に摺動可能なスライド構造であることが望ましい。
また、本発明の金型装置は、上記平面成形部若しくは上記周辺面成形面が、粗面であることが望ましい。